(57)【要約】【課題】アナログ受信機において放送時雑音ノイズを低減し無理なく歪を抑えた音質調整ができる回路を提供することを課題とする。【解決手段】中間波増幅段において光ファイバーで光電変換させて電気ノイズを低減して電気信号に再変換後、高周波チョークコイルと可変容量ダイオードなどで共振周波数を変えて音質調整しながら無理なく歪を抑えた音声出力を得ることを特徴とする。【選択図】図１
0003175767.tif 000002
【実用新案登録請求の範囲】
【請求項１】
ラジオ受信機のアンテナ部から同調部を経て中間波増幅段から光ファイバーへ通過させる半導体レーザー発光器とレンズ部から高周波信号を光電変換する光センサで電気ノイズを除去することを特徴としたものである。
【請求項２】
請求項１に記載の出力から高周波チョークコイルとある電気容量のコンデンサと可変容量ダイオードに直流データをＲＯＭ及び複数の抵抗器列とＤＡＣ回路でエンコード回路から指定した数値で可変容量ダイオードの容量を変化させて共振周波数を変えてＦＭ検波器で音声信号を取り出しＡＦ増幅器で増幅し出力することを特徴とするものである。
【考案の詳細な説明】
【技術分野】
【０００１】  本考案は、中波ラジオ放送などの電気ノイズによる雑音障害を低減することや音質調整を行う回路に関するものである。
【背景技術】
【０００２】  電波障害による電気ノイズは不規則な電気波形がラジオ放送の電波帯に入り雑音音を発生させるものである。中波ラジオ放送の空中放電によりアンテナから中間波増幅段を経て再生される音に雑音が入ることや音質調整で歪が生じるなどの問題があった。
【考案の開示】
【考案が解決しようとする課題】
【０００３】  本考案は、上記問題を解決する目的で高音質かつ歪のない音の再生をスピーカで再現するため低レベルノイズへ変換する音質調整器を提供するものである。
【課題を解決する手段】
【０００４】  本考案請求項１記載の低レベルノイズ音質調整器において、ラジオ受信機のアンテナ部から同調部を経て中間波増幅段から光ファイバーへ通過させる半導体レーザー発光器とレンズ部から高周波信号を光電変換する光センサで電気ノイズを除去することを特徴とするものである。
【０００５】  本考案請求項２記載の低レベルノイズ音質調整器において、請求項１に記載の出力から高周波チョークコイルとある電気容量のコンデンサと並列接続の可変容量ダイオードに直流データをＲＯＭ及び複数の抵抗器列とＤＡＣ回路でエンコード回路から指定した数値で可変容量ダイオードの容量を変化させて共振周波数を変えＦＭ検波器で音声信号を取り出しＡＦ増幅器で増幅し出力することを特徴としたものである。
【考案の効果】
【０００６】  本考案の特徴は、放送時に受信機に入る電気ノイズなど雑音が入ることなく美しい音で聴けるインターネットラジオ以外のポータブルタイプラジオ受信機において音質調整が無理なくスピーカの歪や音割れなど生じない状態でオーディオ再生ができる。
【０００７】  インターネットに使われている光ファイバーをラジオ受信機に組み込み不規則な電気振動のノイズを光変換して一定振幅（幅）の光ファイバーを通すと雑音比というＳ／Ｎ比を大きくするには熱誘導つまり熱の発生を抑えることが必要となる。ファイバーは光伝送するので雑音比を大きく取れる。この光変換技術で電気ノイズが通過しないことを利用して雑音の出ない受信ができる。
【考案を実施するための最良の形態】
【０００８】  以下、本考案の実施例の一形態を図１を参照にして詳細に説明する。図１は、低レベルノイズ音質調節器の全体の回路図である。１はチューナー部入力端子である。２は中間波増幅回路で同調回路を経てスーパーヘテロダイン方式で中間波周波数域に変換した高周波信号は３光伝送部へ伝えられる。３光伝送部は４半導体レーザーランプから６光ファイバーを介して７光センサーに接続されている。【０００９】  半導体レーザーランプは、高周波信号をレーザー光に換えて５光ファイバーで伝送して連続した光情報が５レンズ部を介して６光ファイバーで伝送され７光センサーで電気信号に変換される。【００１０】  ブロックＡで８高周波チョークコイルは７光センサーに接続されている。９コンデンサと１０可変容量ダイオードに直流データが１１エンコード回路から１２ＲＯＭから１３ＤＡＣの出力端子を並列接続された１４抵抗器群で電圧値が異なる直流が流れ１０可変容量ダイオードの電気容量が変化して並列接続された９コンデンサで８高周波チョークコイルの共振回路で強調されて１５ＦＭ検波器に接続された場合、ＦＭの特性からある周波数域波の波形が重なり合って倍圧されるため、ＦＭ検波されて１６ＡＦ増幅器で音に変えている。出力端子１８で音声信号に変わる。【００１１】  エンコード回路１１により呼び出されるアドレス信号で１２ＲＯＭに書き込まれている内容によって電気容量が変化することで共振周波数が変わることにより８高周波チョークコイルの接続で高周波域の周波数に選択しているので無理なく周波数調整できる。
【図面の簡単な説明】
【００１２】
【図１】本考案の一実施の形態による低レベルノイズ音質調整器の回路図である。
【図２】本考案の全体の構成の図である。
【符号の説明】
【００１３】１    チューナー部入力端子
２    中間波増幅回路
３    光伝送部
４    半導体レーザーランプ
５    レンズ部
６    光ファイバー
７    光センサー
８    高周波チョークコイル
９    コンデンサ
１０  可変容量ダイオード
１１  エンコード回路
１２  ＲＯＭ
１３  ＤＡＣ
１４  抵抗器群
１５  ＦＭ検波器
１６  ＡＦ増幅器
１７  音質可変制御部
１８  出力端子
【図１】
0003175767.tif 000003
【図２】
0003175767.tif 000004
【手続補正書】
【提出日】平成24年3月1日(2012.3.1)
【手続補正１】
【補正対象書類名】明細書
【補正対象項目名】全文
【補正方法】変更
【補正の内容】
【考案の詳細な説明】
【技術分野】
【０００１】  本考案は、中波ラジオ放送などの電気ノイズによる雑音障害を低減することや音質調整を行う回路に関するものである。
【背景技術】
【０００２】  電波障害による電気ノイズは不規則な電気波形がラジオ放送の電波帯に入りノイズを発生させるものである。中波ラジオ放送の空中放電によりアンテナから中間波増幅段を経て再生される音に雑音が入ることや音質調整で歪が生じるなどの問題があった。
【考案の開示】
【考案が解決しようとする課題】
【０００３】  本考案は、上記問題を解決する目的で高音質かつ歪のない音の再生をスピーカで再現するため低レベルノイズへ変換する音質調整器を提供するものである。
【課題を解決する手段】
【０００４】  本考案請求項１記載の低レベルノイズ音質調整器において、ラジオ受信機のアンテナ部から同調部を経て中間波増幅段から光ファイバーへ通過させる半導体レーザー発光器とレンズ部から高周波信号を光電変換する光センサで電気ノイズを除去することを特徴とするものである。
【０００５】  本考案請求項２記載の低レベルノイズ音質調整器において、請求項１に記載の出力から高周波チョークコイルとある電気容量のコンデンサと並列接続の可変容量ダイオードに直流データをＲＯＭ及び複数の抵抗器列とＤＡＣ回路でエンコード回路から指定した数値で可変容量ダイオードの容量を変化させて共振周波数を変えＦＭ検波器で音声信号を取り出しＡＦ増幅器で増幅し出力することを特徴としたものである。
【考案の効果】
【０００６】  本考案の特徴は、放送時に受信機に入る電気ノイズなど雑音が入ることなく美しい音で聴けるインターネットラジオ以外のポータブルタイプラジオ受信機において音質調整が無理なくスピーカの歪や音割れなど生じない状態でオーディオ再生ができる。
【０００７】  インターネットに使われている光ファイバーをラジオ受信機に組み込み不規則な電気振動のノイズを光変換して一定振幅（幅）の光ファイバーを通すと雑音比というＳ／Ｎ比を大きくするには熱を発生することを抑えることが必要である。光ファイバーは光伝送するので雑音比を大きく取れる。この光変換技術でラジオ放送に乗る電気ノイズが光ファイバーを通過しないことを利用して雑音の出ない受信ができる。
【考案を実施するための最良の形態】
【０００８】  以下、本考案の実施例の一形態を図１から図３を参照に説明する。図１は、低レベルノイズ音質調整器の全体の回路図である。１は、チューナー部入力端子である。２は中間波増幅回路で同調回路を経てスーパーヘテロダイン方式で中間波周波数域の振動に変換した高周波信号は３光伝送部へ伝えられる。３光伝送部は４半導体レーザーランプに接続されていて６光ファイバーを介して７光センサーに接続されている。【０００９】  電気信号でアンテナから供給される高周波信号波は光信号に変換する目的で９半導体レーザーランプに高周波の電波振動が入力されてレーザー光変換され５光ファイバーで伝送後連続した光情報は、７光センサーに伝わり電気信号に再度変換される。【００１０】  ブロックＡにおいて、７光センサーは８高周波チョークコイルに接続されている。９コンデンサと８高周波チョークは並列に接続された１０可変容量ダイオードにより周波数域を選択して特定の周波数域の振幅レベルを持ち上げて音質調整を行う。【００１１】  音質調整に必要な共振回路の電気容量を変動する１０変容量ダイオードは、１１エンコード回路から１２ＲＯＭに記録された電気容量に係わる直流データを読み出して１３ＤＡＣの出力端子に並列接続された１４抵抗器群で１２ＲＯＭのデータにより電圧値が異なる直流が流れる。【００１２】この直流信号により１０可変容量ダイオードの電気容量は変化して並列接続した８高周波チョークコイル及び９コンデンサで構成される共振回路で特定の周波数域が強調され、１５ＦＭ検波器に接続すると波の重なりから振幅が倍圧されて検波されるので無理なく音質が変えられて１６ＡＦ増幅器で増幅され１８出力端子で音声出力される。【００１３】  アドレス信号として１２ＲＯＭに書き込まれている内容を１１エンコード回路で読み出した信号が電気容量を変化させて共振周波数の対応できる８高周波チョークコイルで高周波域の周波数に転換するので、無理がなく周波数調整ができる。【００１５】  図３についてＦＭ変調波の波形は（ａ）である無作為に区切った時間軸でポイントを仮にその時点における周波数をｆ０とする。其の周波数に共鳴させるために共振回路で高周波チョークコイルやコンデンサ及び可変容量ダイオードによる共振回路の振幅の最大値で値であるＱ値は（ｂ）の示す通り、可変容量ダイオードで周波数が変動して変動幅がｆ１だけ偏移するためにＱ値のずれが生じる。【００１６】  音質調整がｏｆｆの時に周波数ｆ０がＦＭ放送の時の中心周波数からずれているときに検波した時に出力を得るのでｆ０が中心周波数以外の場合はその分だけ出力波形が音質調整をＯＮにした場合と比べて、Ｑ値のポイントが異なる（ｃ）総合して（ｄ）に示す通りフラットな特性を得ることができる。
【図面の簡単な説明】
【００１７】
【図１】  本考案の一実施の形態による低ノイズ音質調整器の回路図である。
【図２】  本考案の全体の機能を示すブロック図である。
【図３】  本考案の音質調整方法を説明する波形図である。
【符号の説明】
【００１８】１  チューナー部入力端子
２  中間波増幅回路
３  光伝送部
４  半導体レーザーランプ
５  レンズ部
６  光ファイバー
７  光センサー
８    高周波チョークコイル
９  コンデンサ
１０  可変容量ダイオード
１１  エンコード回路
１２  ＲＯＭ
１３  ＤＡＣ
１４  抵抗器群
１５  ＦＭ検波器
１６  ＡＦ増幅器
１７  音質可変制御部
１８  出力端子
【手続補正２】
【補正対象書類名】実用新案登録請求の範囲
【補正対象項目名】全文
【補正方法】変更
【補正の内容】
【実用新案登録請求の範囲】
【請求項１】
ラジオ受信機のアンテナ部から同調部を経て中間増幅段から光ファイバーへ通過させる半導体レーザー発光器とレンズ部から高周波信号を光電変換する光センサ部と並列接続した共振回路とデジタル制御回路と可変容量ダイオードで電気ノイズを除去することを特徴とした低レベルノイズ音質調整器。
【請求項２】
請求項１において光ファイバーを通して光電変換され高周波チョークコイルとある電気容量のコンデンサと並列接続した可変容量ダイオードに直流データを記録したＲＯＭと複数の抵抗器列及びＤＡＣ回路とエンコード回路により可変容量ダイオードの電気容量の変化で共振周波数を変えてＦＭ検波器に加えて音声信号に変えＡＦ増幅器で増幅することを特徴とした請求項１記載の低レベルノイズ音質調整器。
【手続補正３】
【補正対象書類名】図面
【補正対象項目名】図３
【補正方法】追加
【補正の内容】
【図３】
0003175767.tif 000005